(57)【要約】【課題】  広大な芝生の管理に使われる従来のタインは、パイプの中間部に長孔状の開口を切削して造っていた。そのため、開口の幅がパイプの直径より狭く、タインの先端で芝生上を穿設したときできるプラグが、開口から落下しにくく、目詰まりを起こしやすかった。【解決手段】  本発明のタインは、先端に向かって細くなるテーパー状で中空円筒状の先端差込部１１と、該先端差込部１１から離間した基端把持部１２と、前記先端差込部１１と基端把持部１２とを接続する連結部１３とからなり、該連結部１３に開口１５を有し、該開口１５が、前記先端差込部１１の最大径部を前記基端把持部１２方向に延長した仮想中空円筒部１７の中心軸ａを中心として１８０゜以上の円周角を有することを特徴とする。【選択図】      図１
2010166856.tif 000002
【特許請求の範囲】
【請求項１】
先端に向かって細くなるテーパー状で中空円筒状の先端差込部と、該先端差込部から離間した基端把持部と、前記先端差込部と基端把持部とを接続する連結部とを有し、該連結部に開口を有し、該開口が、前記先端差込部の最大径部を前記基端把持部方向に延長した仮想中空円筒部の位置で、該仮想中空円筒部の中心軸を中心として１８０゜以上の円周角を有することを特徴とするタイン。
【請求項２】
前記連結部が、前記先端差込部の最大径部と前記基端把持部とを接続する中空円筒部の一部と、該中空円筒部に付加された補強部とからなることを特徴とする請求項１に記載のタイン。
【請求項３】
前記連結部が、前記先端差込部の最大径部と前記基端把持部とを接続する中空円筒部の一部の肉厚を厚くしたものであることを特徴とする請求項１に記載のタイン。
【請求項４】
前記連結部が、前記先端差込部の最大径部と前記基端把持部とを接続する中空円筒部の一部を拡幅したものであることを特徴とする請求項１に記載のタイン。
【請求項５】
前記補強部が、前記中空円筒部の内径の外側にあって、前記中空円筒部の中心軸から円筒の外方向に延びる１本又は複数本のリブを有することを特徴とする請求項１に記載のタイン。
【請求項６】
前記連結部が、前記先端差込部の最大径部と前記基端把持部とを接続する仮想中空円筒部の内径より外側にある中心部と、該中心部から放射状に延びる１本又は複数本のリブとから構成され、該１本又は複数本のリブが、前記仮想中空円筒部の内径より外側に配置されることを特徴とする請求項１に記載のタイン。
【発明の詳細な説明】
【技術分野】
【０００１】
本発明は芝生の育成管理に使うエアレーション装置の取付け部に取付けられるタインに関する。
【背景技術】
【０００２】
ゴルフ場など広大な芝生の育成管理には、茂り過ぎた根を適度に切断する根切り作業が行われる。この作業を行うものとして特許文献１があった。この根切り作業用工具は、先端差込部には尖鋭稜部が形成され、断面形状が略十字形状に形成され、断面積が先端に向かって小さくなるタインを使用していた。このようなタインを土中に押し込むことで、芝の根を切るのである。
【０００３】
しかしながら、根切り作業だけでは、芝生が十分に発育しないため芝生の根元に空気が通りやすくするコアリング作業が行われている。このコアリング作業は、エアレーション装置に取付けた筒状のタインを使い地面に空気孔を穿つ作業である（たとえば、特許文献２）。
【０００４】
タイン本体が地面に突き刺さると、先端の開口端から土壌がタイン本体の内部に入り土塊（これを「プラグ」と称している）となる。このプラグは、タイン本体が地面から抜き出され、次にタインを突き刺したとき、タイン内部を進行し、やがて、タイン本体の側面に形成された開口から、外部に排出される。このタインは、先端の開口端縁が鋭く尖っており、根切りができる。また、芝生にプラグに対応する穴が穿設されるので、コアリングも同時に行うことができる。
【先行技術文献】
【特許文献】
【０００５】
【特許文献１】特開平１１−００９００６号
【特許文献２】特開２００７−４９９２３号
【発明の概要】
【発明が解決しようとする課題】
【０００６】
しかし、特許文献２のタインには、次のような問題があった。タイン本体はパイプ状で、タインの開口は、パイプの中間部を切り欠いた長孔として形成されているが、長孔の幅は直径より小さく全周の１／４から１／３しか開けられていない。開口の幅を直径より大きくすると、タイン本体の強度が低下してしまうからである。そのため、開口を大きくすることができず、プラグが開口から排出され難く、目詰まりを起こし易かった。
【０００７】
本発明は、上記の問題の解決を図ったもので、プラグの排出が容易で、充分な強度を有し、かつ、根切り作業と穿孔作業とを同時に行うことができるタインを提供することを目的としている。
【課題を解決するための手段】
【０００８】
上記の目的を達成するために、本発明のタインは、先端に向かって細くなるテーパー状で中空円筒状の先端差込部と、該先端差込部から離間した基端把持部と、前記先端差込部と基端把持部とを接続する連結部とを有し、該連結部に開口を有し、該開口が、前記先端差込部の最大径部を前記基端把持部方向に延長した仮想中空円筒部の位置で、該仮想中空円筒部の中心軸を中心として１８０゜以上の円周角を有することを特徴としている。
【０００９】
前記連結部が、前記先端差込部の最大径部と前記基端把持部とを接続する中空円筒部の一部と、該中空円筒部に付加された補強部とからなる構成としたり、前記補強部が、前記中空円筒部の一部の肉厚を厚くした構成としたり、前記連結部が、前記先端差込部の最大径部と前記基端把持部とを接続する中空円筒部の一部を拡幅した構成としたり、前記補強部が、前記中空円筒部の内径の外側にあって、前記中空円筒部の中心軸から円筒の外方向に延びる１本又は複数本のリブを有する構成としたり、前記連結部が、前記先端差込部の最大径部と前記基端把持部とを接続する仮想中空円筒部の内径より外側にある中心部と、該中心部から放射状に延びる１本又は複数本のリブとから構成され、該１本又は複数本のリブが、前記仮想中空円筒部の内径より外側に配置される構成としたりすることができる。
【発明の効果】
【００１０】
本発明のタインは、連結部材の幅も肉厚も自由に変更できるから、強度も自由に強化でき、開口を大きくしてプラグの目詰まりを防止することができる。また、強度が充分に確保できるので、タインの寿命も短くなることはない。したがって、連結部材の幅が前記軸心を中心として１８０゜以下の円周角で製造できるようになり、先端差込部の筒体から押し出された土塊（プラグ）が、連結部材の開口から確実に芝生上に落下し、タインの目詰まりがほとんど起こらなくなった。さらに、連結部材にリブを取り付けることで、さらに連結部材の強度を挙げるとともに、根切りを効果的に行うことができることから従来２回に分けて行っていた芝の根切り作業と穿孔作業が一回でできるようになる。
【００１１】
本発明のタインは、連結部材に突設したリブがタインの中心に対称形に形成することで、作動時にタインの振動が少なくなり、タインが取付けられるエアレーション装置の作動負荷が少なくなる。
【図面の簡単な説明】
【００１２】
【図１】本発明のタインの第１実施例の斜視図である。
【図２】図１のＡ−Ａ線切断端面図である。
【図３】本発明のタインの第２実施例で、図１のＡ−Ａ線切断端面図に対応する図である。
【図４】本発明のタインの第３実施例で、図１のＡ−Ａ線切断端面図に対応する図である。
【図５】本発明のタインの第４実施例で、図１のＡ−Ａ線切断端面図に対応する図である。
【図６】本発明のタインの第５実施例の斜視図である。
【図７】図６のＢ−Ｂ線切断端面図である。
【図８】本発明のタインの第６実施例の図で、図６のＢ−Ｂ線切断端面図に対応する図である。
【図９】本発明のタインの第７実施例の図で、図６のＢ−Ｂ線切断端面図に対応する図である。
【図１０】本発明のタインの第８実施例の図で、図６のＢ−Ｂ線切断端面図に対応する図である。
【図１１】本発明のタインの第９実施例の図で、図６のＢ−Ｂ線切断端面図に対応する図である。
【発明を実施するための形態】
【００１３】
以下、本発明の実施の形態を添付図面を参照して説明する。
【実施例１】
【００１４】
図１は本発明のタインの第１実施例を示す斜視図で、図２は、図１のＡ−Ａ線切断端面図である。これらの図に示すように、本発明のタイン１０は、先端に向かって細くなるテーパー状で中空円筒状の先端差込部１１と、この先端差込部１１から離間した基端把持部１２と、これらを連結する連結部１３とから構成されている。基端把持部１２は、さらに先端差込部１１と同じ径の円筒形の太経部１２ａと、その後方の細径部１２ｂとに別れている。そして、細径部１２ｂがエアーレーション装置により把持されることになる。
【００１５】
先端差込部１１の先端縁１１ａは鋭く尖っており、芝生に差し込み易く、かつ、芝の根を切り易くなっている。先端差込部１１の後端面１１ｂは、傾斜面となって連結部１３に接続し、接続部の強度を保つようにしている。同様に、基端把持部１２の先端面１２ｃも傾斜面となって連結部１３に滑らかに接続している。このように滑らかに接続させることで、強度の低下を防止することができる。
【００１６】
図１のタイン１０の先端差込部１１と基端把持部１２とは、一本のパイプから形成されたもので、先端差込部１１と基端把持部１２とは同一の外径と内径とを持っている。元のパイプは、先端差込部１１の最大径部を前記基端把持部１２方向に基端把持部まで延長した仮想中空円筒部１７として図示されている。連結部１３は、このパイプの開口１５に当たる部分を切削加工等により削除することで形成されている。
【００１７】
図２に示すように、連結部１３は、パイプの部分１３ａと、その外側に貼り付けた補強部１３ｂとから構成されている。そして、開口１５の仮想中空円筒部１７の中心軸ａを中心とした円周角αは１８０゜以上になっている。また、開口１５を円周に沿って測った幅は、パイプの直径Ｄより大きくなっている。
【００１８】
図の仮想中空円筒部１７で示すパイプから、その中間部を切削してタイン１０を造るときは、開口１５を形成し、先端差込部１１の先端を絞って縮径すればよい。開口１５部分におけるパイプの残存部分が連結部１３となる。この場合、連結部１３はパイプの肉厚だけでは弱くなる場合には、鋼板などで形成した補強部１３ｂを溶接等により付加する。
【００１９】
鍛造によりタイン１０を造るときは、先端差込部１１と基端把持部１２を中実のものとし、これらを連結部１３で結合して一体にしたものを鍛造する。成形後に先端差込部１１の中空部分のテーパー状の孔と、必要であれば、基端把持部１２の孔とを穿設すればよい。このとき、連結部１３の厚さは、パイプの肉厚に揃える必要はなく、パイプの肉厚より厚くして必要な強度を得られるようにすることが望ましい。また、連結部１３の断面形状は、自由であり、外周側が尖った三角形や台形、湾曲したあるいは矩形の四角形など任意で、後述するリブを突設しても耐えられる高強度に造ることができる。
【００２０】
上記構成のタイン１０の取付部としての細径部１２ｂをエアレーション装置の取付け部に取り付けて固定する。タイン１０を取り付けたエアレーション装置を作動させると、タイン１０が上下動して芝生の根を切断すると共に芝生の根元に空気を送る孔が開けられることになる。
【００２１】
このタイン１０の上下動をさらに説明する。まず、タイン１０が下方に移動して土中に突き刺さり、筒体１内に土壌が入ると共に芝生の根を切断する。つぎに、タイン１０が上方に移動した後、再度、下方に移動して土中に突き刺さる。このとき新しい土壌が筒体１内の土壌を押し上げて圧縮し、プラグにする。このプラグは、新しい土壌に押し上げられて開口１５に達し、開口１５からタイン１０の外部に転げ落ちて芝生上に落下する。以上の結果、繁茂し過ぎた芝生の根が切断されると共に芝生の根元に空気を送る孔が開けられる。従来は、別々に行われていた根切り作業と孔開け作業が、一度の作業でできるので、芝生育成管理作業が効率的に行えるようになった。
【００２２】
従来のタインは、開口１５の円周角αが軸ａを中心として１８０゜未満であったため、開口１５から出にくく、外に落下しにくく、つぎつぎと土壌がタイン内に入ると、目詰まりしやすかった。しかし、本発明のタイン１０は、開口１５の円周角が、１８０゜以上であるからプラグが確実に開口１５から出て、芝生上に落下し、タイン１０内部の目詰まりがなくなった。
【００２３】
また、本発明のタイン１０は、連結部１３が厚く高強度になっているから開口１５の円周角αを１８０゜以上にしても、タイン１０の強度を十分保つことができる。
【実施例２】
【００２４】
図３は、本発明のタインの第２実施例で、図１のＡ−Ａ線切断端面図に対応する図である。同図に示すタイン２０は、連結部２３を半円状に形成し、開口２５の円周角αを仮想中空円筒部１７の中心軸ａを中心として、丁度１８０゜にした例である。図１の実施例１では、連結部１３をパイプの部分１３ａと、その外側に貼り付けた補強部１３ｂとから構成したが、ここでは、パイプの部分１３ａと補強部１３ｂとを、厚肉部として一体に形成している。このようなタイン２０及び、以下に説明する第３実施例から第９実施例のタインは、いずれも鍛造により製造することができる。
【実施例３】
【００２５】
図４は、本発明のタインの第３実施例で、図１のＡ−Ａ線切断端面図に対応する図である。同図に示すタイン３０の連結部３３は、図３の連結部２３の両側を外側に引張って変形させ、開口３５を大きくしたものである。
【実施例４】
【００２６】
図５は、本発明のタインの第４実施例で、図１のＡ−Ａ線切断端面図に対応する図である。同図に示すタイン４０の連結部４３は、図の仮想中空円筒部１７に外接し、垂直方向に伸びる１本のリブで構成されている。連結部４３としてのリブは、断面がくさび形で、芝の根切りをし易くなっている。開口４５の円周角αは、連結部４３としてのリブを挟む角の補角であり、非常に大きい円周角αの開口４５を確保することができる。連結部４３は、仮想中空円筒部１７の外径に外接しているが、内径に外接させてもよい。
【実施例５】
【００２７】
図６は、本発明のタインの第５実施例の斜視図で、図７は図６のＢ−Ｂ線切断端面図である。これらの図に示すタイン５０は、図１のタイン１０と同様な先端差込部１１と、基端把持部１２とを有し、これらが連結部５３で接続されている。連結部５３は、図７に示すように、半円の円弧部５３ａの両側に、リブ５３ｂ、５３ｂが１８０゜の中心角で形成されている。開口５５の仮想中空円筒部１７の中心軸ａを中心とした円周角αは１８０゜になっている。このタイン５０は、連結部５３に２枚のリブ５３ｂがあり、これによって芝の根切りを効果的に行うことができる。
【実施例６】
【００２８】
図８は、本発明のタインの第６実施例の図で、図６のＢ−Ｂ線切断端面図に対応する図である。この実施例のタイン６０の連結部６３は、仮想中空円筒部１７に重なる円弧部６３ａの両端にリブ６３ｂ、６３ｂを形成したものである。リブ６３ｂ、６３ｂは、図６の実施例におけるリブ５３ｂ、５３ｂをＶ字型に傾斜させた形状となっている。開口６５は、仮想中空円筒部１７の位置で、仮想中空円筒部１７の中心軸ａを中心として１８０゜の円周角αを有している。リブ６３ｂ、６３ｂが開口６５の外側にＶ字状に開いているので、開口６５を狭めることはない。
【実施例７】
【００２９】
図９は、本発明のタインの第７実施例の図で、図６のＢ−Ｂ線切断端面図に対応する図である。この実施例のタイン７０は、連結部７３が、断面形状が半円の円弧部７３ａに３つのリブ７３ｂが９０゜の間隔で設けられている。各リブ７３ｂは、円弧部７３ａから仮想中空円筒部１７の外側に放射状に伸びている。この実施例のタイン７０は、３枚のリブがあるので、芝の根切りを効果的に行うことができる。開口７５は、仮想中空円筒部１７の位置で、仮想中空円筒部１７の中心軸ａを中心として１８０゜の円周角αを有している。
【実施例８】
【００３０】
図１０は、本発明のタインの第８実施例の図で、図６のＢ−Ｂ線切断端面図に対応する図である。この実施例のタイン８０は、連結部８３が、断面形状がＶ型をしており、中心部８３ａから左右対称に斜め方向のリブ８３ｂがＶ字状に設けられている。各リブ８３ｂは、仮想中空円筒部１７の外径に外接するように形成され、仮想中空円筒部１７内には入らないようにすることで、プラグの排出を容易になるようにしている。連結部８３は、仮想中空円筒部１７の内径に外接するようしてもよい。開口８５は、仮想中空円筒部１７の位置で、仮想中空円筒部１７の中心軸ａを中心として１８０゜を越えた円周角αを有している。
【実施例９】
【００３１】
図１１は、本発明のタインの第９実施例の図で、図６のＢ−Ｂ線切断端面図に対応する図である。この実施例のタイン９０は、連結部９３の断面形状がＹ型をしており、中心部９３ａから１２０゜間隔で３本のリブ９３ｂがＹ字状に設けられている。２本のリブ９３ｂは、仮想中空円筒部１７の内径に外接するように形成され、残りの一本は中心軸ａから仮想中空円筒部１７の外側に向かって延びている。また、各リブ９３ｂは、先端に向かって徐々に細くなるくさび形になっており、芝の根切りをやりやすくしている。開口９５は、仮想中空円筒部１７の位置で、仮想中空円筒部１７の中心軸ａを中心として１８０゜を越えた円周角αを有している。
【００３２】
上記実施例１から９の構成のタインを取付けたエアレーション装置を作動させると、タインが上下動するたびに芝生の根を切断すると共にタイン内に取込まれ圧縮されたプラグが芝生上にまき散らされる。いずれのタインでも、開口が大きくなっているので、プラグの詰まりも起こらない。また、連結部の強度も充分に確保することができ、タインの寿命も長くなる。さらに、いずれのタインも連結部の形状が、左右対称形状になっているので、作動時にタインの振動が少なくなり、タインが取付けられるエアレーション装置の作動負荷が少なくなる。
【００３３】
以上のことから、芝の育成管理性が向上するとともに、芝生の育成が楽になり、芝生の育成が促進される。
【産業上の利用可能性】
【００３４】
本発明のタインは、芝生育成管理に欠かせない芝生の根切り作業と穿孔作業という関連作業を行うための治具である。従来、芝生の根切り作業と穿孔作業が別々に行われていたが、本発明のタインを使えば、一度に芝生の根きり作業と穿孔作業が同時に行われる一組の作業であり、この一組の作業を一度に行えると言うことは、芝生管理作業の大幅な軽減である。しかも、大断面のリブが取付けられた本発明のタインで行う穿孔作業とは、効率的かつ高性能な芝生管理器具として利用できる。
【符号の説明】
【００３５】
１０      タイン
１１      先端差込部
１１ａ    先端縁
１１ｂ    後端面
１２      基端把持部
１２ａ    太経部
１２ｂ    細径部
１２ｃ    先端面
１３      連結部
１３ｂ    補強部
１５      開口
１７      仮想中空円筒部
２０      タイン
２３      連結部
２５      開口
３０      タイン
３３      連結部
３５      開口
４０      タイン
４３      連結部
４５      開口
５０      タイン
５３      連結部
５３ａ    円弧部
５３ｂ    リブ
５５      開口
６０      タイン
６３      連結部
６３ａ    円弧部
６３ｂ    リブ
７０      タイン
７３      連結部
７３ａ    円弧部
７３ｂ    リブ
８０      タイン
８３      連結部
８３ａ    中心部
８３ｂ    リブ
９０      タイン
９３      連結部
９３ａ    中心部
９３ｂ    リブ
ａ        中心軸
Ｄ        直径
α        円周角
【図１】
2010166856.tif 000003
【図２】
2010166856.tif 000004
【図３】
2010166856.tif 000005
【図４】
2010166856.tif 000006
【図５】
2010166856.tif 000007
【図６】
2010166856.tif 000008
【図７】
2010166856.tif 000009
【図８】
2010166856.tif 000010
【図９】
2010166856.tif 000011
【図１０】
2010166856.tif 000012
【図１１】
2010166856.tif 000013